(57)【特許請求の範囲】
【請求項１】
縦枠と横枠とを枠組みして形成し、建物開口部の縁に沿って配置される枠体と、該枠体の内側に配置され、開閉可能な障子とを備える開口部装置であって、
前記枠体のうち少なくとも前記縦枠は、前記障子より見込み方向室内側に設けられ、見付方向内側に突出して配置されたカバー部を有し、
前記障子は、
所定の間隔を有して対向する２枚以上の板ガラス及び前記間隔のうち前記板ガラスの外周端部に充填されるシール材を備える複層ガラスパネルと、
前記複層ガラスパネルの端部を覆うように設けられ、前記シール材又は前記複層ガラスパネルに結合されたグレージングチャンネルと、
前記グレージングチャンネルが具備された前記複層ガラスパネルの外周に沿って前記複層ガラスパネルの端部を覆うように設けられる框と、を有し、
前記框のうち少なくとも１つの框は、前記障子の閉鎖の姿勢における室内側正面視で、該少なくとも１つの框の略全部が前記カバー部に隠蔽され、
前記グレージングチャンネルの底部にはシール材に挿入される突出部と排水孔と、が設けられていることを特徴とする開口部装置。
【請求項２】
前記突出部が前記シール材と結合していることを特徴とする請求項１に記載の開口部装置。
【請求項３】
前記少なくとも１つの框は、その見付け方向の大きさが３６ｍｍ以下であることを特徴とする請求項１又は２に記載の開口部装置。
【請求項４】
前記グレージングチャンネルの前記突出部と、該グレージングチャンネルのうちの前記複層ガラスパネルの端面を覆う部位と、が一体に形成されていることを特徴とする請求項１又は２に記載の開口部装置。
【請求項５】
前記グレージングチャンネルの前記突出部と、該グレージングチャンネルのうちの前記複層ガラスパネルの端面を覆う部位と、が別体に形成されていることを特徴とする請求項１又は２に記載の開口部装置。
【請求項６】
全体の熱貫流抵抗値が０．２８７ｍ２Ｋ／Ｗ以上である請求項１〜５のいずれか一項に記載の開口部装置。
【請求項７】
前記少なくとも１つの框は、
前記障子の室外側見付面を形成する室外側片と、
前記障子の室内側見付面を形成する室内側片と、
一端が前記室外側片に、他端が前記室内側片に連結した見込み片と、を備え、
前記見込み片が１つであることを特徴とする請求項１〜６のいずれか一項に記載の開口部装置。
【請求項８】
請求項１〜７のいずれか一項に記載の開口部装置を製造する方法であって、
所定の間隔を有して対向する２枚以上の板ガラスの前記間隔のうち前記板ガラスの外周端部にシール材を充填させる工程と、
前記シール材が固まる前に前記突出部を該シール材に差し込むようにして、前記２枚以上の板ガラスの端部を覆うように前記グレージングチャンネルを取り付ける工程と、を含む開口部装置の製造方法。
【発明の詳細な説明】
【技術分野】
【０００１】
本発明は住宅や公共施設等の建物開口部に好適に用いられる開口部装置に関し、詳しくは断熱性能を向上させることができるとともに、外観にも優れる開口部装置に関する。
【背景技術】
【０００２】
建物開口部に備えられるいわゆるサッシ窓は、その開閉により室外との連通・遮断が自在であり、人や物の出入りや換気等をすることができる。また、開閉する障子はガラスパネル等の透光性を有するパネルを有している。これにより、その閉鎖の姿勢においても室内に光を取り入れることができ、室内を明るくし、暖をとる等、室内環境の向上が図られる。
【０００３】
しかし一方で、サッシ窓では、ガラスパネル以外の多くの部分に金属が用いられること等から、通常の壁等に比べて断熱性が低下する傾向にある。断熱性は、建物に求められる重要な性能の１つであり、特に寒冷地ではその重要度も高くなる。
【０００４】
これに対して、断熱性を向上させたサッシが特許文献１に開示されている。この開口部装置では、枠、及び障子の框のそれぞれを室内側の部材、室外側の部材に分け、これを樹脂材により連結して形成している。これによれば、室内外の熱の移動が樹脂材により遮断され、開口部装置の断熱性を向上させることができる。
【０００５】
また、特許文献２には、グレージングチャンネルの内側底面に突起部を設けて、これを複層ガラスパネルのパネル間に充填されたシール材に埋め込むようにして取り付ける構造が開示されている。
【先行技術文献】
【特許文献】
【０００６】
【特許文献１】特許第３２４８０５３号公報
【特許文献２】特開平１０‐２９９３５１号公報
【発明の概要】
【発明が解決しようとする課題】
【０００７】
特許文献１に記載等の手段により、開口部装置の断熱性は向上する。しかしながら、一方で部材の複雑化が生じたり、枠、框の見込み、見付方向の寸法が大きくなってしまう傾向にあった。また、さらなる断熱性の向上を必要とする環境に開口部装置の提供をしたい場面もある。
【０００８】
また、特許文献２に記載のグレージングチャンネルは、複層ガラスパネルにおけるシール性向上やグレージングチャンネルの取り付け性を良くすることを目的とし、開口部装置全体として断熱性の向上や外観を考慮した技術的な思想はなかった。
【０００９】
そこで本発明は、上記の問題点に鑑み、簡易な構造で断熱性能を向上させることができるとともに、外観にも優れる開口部装置を提供することを課題とする。
【課題を解決するための手段】
【００１０】
以下、本発明について説明する。ここでは、わかり易さのために図面に付した符号を合わせて記載するが、本発明がこれに限定されるものではない。
【００１１】
請求項１に記載の発明は、縦枠（１５、２０）と横枠（２５、３０）とを枠組みして形成し、建物開口部の縁に沿って配置される枠体（１０）と、該枠体の内側に配置され、開閉可能な障子（４０、７０）とを備える開口部装置（１）であって、枠体のうち少なくとも縦枠は、障子より見込み方向室内側に設けられ、見付方向内側に突出して配置されたカバー部（１７、１８、２２）を有し、障子は、所定の間隔を有して対向する２枚以上の板ガラス（４２、４３）及び間隔のうち板ガラスの外周端部に充填されるシール材（４５）を備える複層ガラスパネル（４１）と、複層ガラスパネルの端部を覆うように設けられ、シール材又は複層ガラスパネルに結合されたグレージングチャンネル（６０）と、グレージングチャンネルが具備された複層ガラスパネルの外周に沿って複層ガラスパネルの端部を覆うように設けられる框（５０、５１、５２、５３、８０、８１、８２、８３）と、を有し、框のうち少なくとも１つの框（５０）は、障子の閉鎖の姿勢における室内側正面視で、該少なくとも１つの框の略全部がカバー部に隠蔽され、グレージングチャンネルの底部にはシール材に挿入される突出部（６４）と排水孔と、が設けられていることを特徴とする開口部装置である。
【００１２】
ここで、「見付方向」とは全体として平板状である開口部装置又は障子の該平板状の平面に沿った方向を意味し、開口部装置が建物に取り付けられた姿勢では、建物開口部の開口面に沿った方向を意味する。また、「見付方向内側」とは、見付方向のうち開口部装置の（障子の場合には障子の）中央方向を意味する。従って「見付方向外側」は見付方向のうち開口部から離れる方向を意味する。さらに、「見込み方向」とは全体として平板状である開口部装置又は障子の該平板状の厚さの方向を意味し、開口部装置が建物に取り付けられた姿勢では、建物の室内外方向を示す。
また、「ガラスパネルの端部」とは、端面を含み、さらにガラスパネルの室内側面、及び室内側面の外周端部を含む概念である。
また、「戸先框の略全部がカバー部に隠蔽」とは、完全に隠蔽される場合のみでなく、若干隠蔽されない部分がある場合をも含むことを意味する。具体的には戸先框の見付方向大きさのうち、９０％以上が隠蔽されていることが好ましい。
【００１３】
請求項２に記載の発明は、請求項１に記載の開口部装置において、突出部がシール材と結合していることを特徴とする。
【００１４】
請求項３に記載の発明は、請求項１又は２に記載の開口部装置において、少なくとも１つの框（５０）は、その見付け方向の大きさが３６ｍｍ以下であることを特徴とする。
【００１５】
請求項４に記載の発明は、請求項１又は２に記載の開口部装置（１）において、グレージングチャンネル（６０）の突出部（６４）と、該グレージングチャンネルのうちの複層ガラスパネル（４１）の端面を覆う部位と、が一体に形成されていることを特徴とする。
【００１６】
請求項５に記載の発明は、請求項１又は２に記載の開口部装置（１）において、グレージングチャンネル（６０）の突出部（６４）と、該グレージングチャンネルのうちの複層ガラスパネル（４１）の端面を覆う部位と、が別体に形成されていることを特徴とする。
【００１７】
請求項６に記載の発明は、請求項１〜５のいずれか一項に記載の開口部装置（１）において、全体の熱貫流抵抗値が０．２８７ｍ２Ｋ／Ｗ以上であることを特徴とする。
【００１８】
開口部装置の熱貫流抵抗値は、ＪＩＳ  Ａ  ４７１０の試験方法に基づいて得られた熱貫流抵抗値とする。また、熱貫流抵抗値が０．２８７ｍ２Ｋ／Ｗ以上であることは、ＪＩＳ  Ａ  ４７０６、ＪＩＳ  Ａ  ４７０２に規定された等級Ｈ−３を満たすことを意味する。
【００１９】
請求項７に記載の発明は、請求項１〜６のいずれか一項に記載の開口部装置（１）において、少なくとも１つの框（５０）は、障子（４０）の室外側見付面を形成する室外側片（５０ｂ）と、障子の室内側見付面を形成する室内側片（５０ｃ）と、一端が室外側片に、他端が室内側片に連結した見込み片（５０ａ）と、を備え、見込み片が１つであることを特徴とする。
【００２１】
請求項８に記載の発明は、請求項１〜７のいずれか一項に記載の開口部装置を製造する方法であって、所定の間隔を有して対向する２枚以上の板ガラスの間隔のうち板ガラスの外周端部にシール材を充填させる工程と、シール材が固まる前に突出部を該シール材に差し込むようにして、２枚以上の板ガラスの端部を覆うようにグレージングチャンネルを取り付ける工程と、を含む開口部装置の製造方法である。
【発明の効果】
【００２２】
本発明によれば、断熱性能を向上させることができるとともに、外観にも優れる開口部装置を提供することができる。
【図面の簡単な説明】
【００２３】
【図１】１つの実施形態に係る開口部装置の室内視正面図で、図１（ａ）が閉鎖の姿勢、図１（ｂ）は開放の姿勢である。
【図２】図１のII−II断面図である。
【図３】図１のIII−III断面図である。
【図４】図２のうち縦枠１５の部分に注目した図である。
【図５】図２のうち障子５０の戸先框５０の部分に注目した図である。
【図６】グレージングチャンネルの他の例を示した図である。
【図７】参考の形態に係る開口部装置のうち図２に相当する図である。
【発明を実施するための形態】
【００２４】
本発明のこのような作用及び利得は、次に説明する発明を実施するための形態から明らかにされる。以下本発明を図面に示す実施形態に基づき説明する。ただし、本発明はこれら実施形態に限定されるものではない。
【００２５】
図１は、１つの実施形態に係る開口部装置１が建物の開口部に取り付けられた姿勢における該開口部装置１の室内視正面図である。図１（ａ）は障子が閉鎖された姿勢、図１（ｂ）は障子が少し開かれた姿勢をそれぞれ示している。
図２は、図１（ａ）にII−IIで示した線（水平方向）に沿った断面図、図３は図１（ｂ）にIII−IIIで示した線（垂直方向）に沿った断面図である。図２では、紙面上が室外側、紙面下が室内側を示している。また、図３では紙面左が室外側、紙面右が室内側を表している。
本実施形態において開口部装置１は、いわゆる引戸式のサッシ窓である。
【００２６】
開口部装置１は、建物開口部の４辺の縁に沿って配置される枠体１０、及び該枠体１０の内側に具備されて引戸式に開閉する室外側障子である外障子４０、室内側障子である内障子７０を備えている。また、施錠装置７８が設けられ、外障子４０及び内障子７０の施錠開錠を可能としている。図１〜図３及び適宜示す図を参照しつつ開口部装置１について説明する。
【００２７】
枠体１０は、上下のそれぞれに水平に配置される長尺部材である上横枠２５、下横枠３０、及び該上横枠２５、下横枠３０の端部を渡して設けられる長尺部材である縦枠１５、２０を備え、これらが枠状に組み合わされている。
【００２８】
縦枠１５は、枠体１０の２つの縦枠のうち一方を構成する枠材で、開口部装置１が閉鎖されている姿勢で、外障子４０の戸先框５０が配置される側の縦枠である。図４（ａ）には、図２のうち縦枠１５の部位に注目した図を示し、図４（ｂ）には、縦枠１５の分解断面図を表した。
【００２９】
縦枠１５は、縦枠本体１６とカバー部としてのカバー部材１７、１８とを備え、固定手段１９によりカバー部材１８が縦枠本体１６に固定されている。
縦枠本体１６は、図２、図４に表わされる断面において、見込み方向に延在する片１６ａを有している。片１６ａの室内側端部、及び室外側端部のそれぞれには、見付方向に延びる片１６ｂ、１６ｅが設けられている。また、片１６ａの見付方向内側面には、片１６ｃ、片１６ｄが立設されている（図４参照）。ここで、片１６ｃの先端は、見込み方向外側に向けて折り曲げられるように形成されている。また、片１６ｄは外障子４０の閉鎖の姿勢でその戸先框５０の内側に差し込まれる位置に設けられている。
さらに、片１６ａの見付方向外側面には片１６ｆが立設されている。当該片１６ｆが建物躯体に固定されることにより、縦枠１５が建物に取り付けられる。
【００３０】
縦枠本体１６の材質は特に限定されることはないが、強度及び生産性の観点から金属が好ましく、通常のサッシに用いられるアルミニウムであることが最も好ましい。
また、本実施形態では縦枠本体１６は、一体に形成されているが、これに限定されることはなく、いくつかの金属部材が組み合わされて一体とされていてもよい。また、縦枠本体を室外側部材と室内側部材とに分け、これを断熱性の部材で連結する、いわゆるブリッジ構造としてもよい。これによりさらに断熱性を向上させることができる。
【００３１】
カバー部材１７は、縦枠本体１６の長手方向に沿って配置される長尺の部材である。カバー部材１７は図２、図４に表わされる断面において略矩形中空である矩形部１７ａを有している（図４参照）。矩形部１７ａのうちの１つの角部である見込み方向室外側で見付方向外側の角部は切り欠かれており、ここにコ字状部１７ｂが形成されている。コ字状部１７ｂは、見付方向外側に開口している。そして、開口部分には、開口面を狭めるように若干位置をずらされて対向する突起１７ｃ、１７ｄが設けられている。
【００３２】
また、矩形部１７ａの角部のうち上記コ字状部１７ｂに対して対角の位置の角からは、見込み方向室内側に向けて片１７ｅが延在する。また片１７ｅの先端からは、見付方向外側に向けて片１７ｆが具備されている。
【００３３】
カバー部材１８も、縦枠本体１６の長手方向（図２、図４の紙面奥／手前方向）に沿って配置される長尺の部材である。カバー部材１８は、図２、図４に表わされる断面において、見付方向に延びる片１８ａ、及びその両端のそれぞれから見込み方向に延在する片１８ｂ、１８ｃによりクランク状が形成されている。
【００３４】
ここで、本実施形態では、カバー部材１７とカバー部材１８とは片１７ｆと片１８ａとにより係合されている。カバー部材は、必ずしも２つの部材を係合させることにより一体とする必要はなく、１つの部材により形成されていてもよい。本実施形態では、カバー部材１８をもう一方の縦枠である縦枠２０にもそのままの形状で用いることができるため、部品種類の抑制の観点からこのような構成とした。
【００３５】
カバー部材１７、１８の材質は、熱伝導率の低い材料により形成されていることが好ましい。これにより断熱性を高めることができる。熱伝導率が低いほど断熱性を高めることができるが、熱伝導率が１０Ｗ／ｍ・Ｋ以下であることが好ましい。そのため、具体的には樹脂材料を用いてカバー部材を形成することが好ましい。熱伝導率が低いことに加えて、成型性にも優れるからである。これには例えばＰＶＣを用いることができ、その熱伝導率は０．１７Ｗ／ｍ・Ｋ程度である。
【００３６】
このような縦枠本体１６、カバー部材１７、１８は次のように組み合わせられる。
縦枠本体１６の見込み方向室内側において、片１６ａにカバー部材１８の片１８ｂが重ねられるとともに、片１６ｂにカバー部材１８の片１８ａが重ねられるように配置する。そして固定部材１９により片１８ｂと片１６ａとが固定される。本実施形態では、片１６ｂの先端が片１８ａに係合することによりさらに確実に固定される。
カバー部材１７は、そのコ字状部１７ｂの内側に縦枠本体１６の片１６ｃを差し込むように配置する。上記したように片１６ｃはＬ字状に形成されており、一方、コ字状部１７ｂの開口部にはその開口を狭めるように突起１７ｃ、１７ｄが設けられている。これにより、カバー部材１７が縦枠本体１６から抜け難いとともに、ここを中心にカバー部材１７を回動させることもできる。そして当該回動をさせて、カバー部材１７の片１７ｆとカバー部材１８の片１８ａとを係合させる。
これにより、カバー部材１７、１８は、縦枠本体１６の見付方向内側面のうち見込方向室内側の一部を覆うことができる。
【００３７】
カバー部材１７、１８の図４（ｂ）にＥで示した大きさは、後で説明する他の部材との関係により決めることができる。従って、これらについては、他の部材を説明した後にまとめて詳しく説明する。
【００３８】
ここでは一つの好ましい実施形態として、上記態様を説明したが、カバー部が形成されるものであればこれに限定されるものではない。例えば、縦枠、及びカバー部を金属、又は樹脂で一体に形成してもよいし、室外側の半分を金属の枠とし、室内側の半分を樹脂で枠とカバー部とを一体に形成し、これらを室内外方向に並列させて連結してもよい。
【００３９】
引き続き、枠体１０について説明する。縦枠２０は枠体１０の２つの縦枠のうち一方を構成する枠材で、開口部装置１が閉鎖されている姿勢で、内障子７０の戸先框８０が配置される側の縦枠である。図２を参照しつつ説明する。
【００４０】
縦枠２０は、縦枠本体２１とカバー部としてのカバー部材２２とを備え、固定手段２３によりカバー部材２２が縦枠本体２１に固定されている。
縦枠本体２１は、図２に表わされる断面において、見込み方向に延在する片２１ａを有している。片２１ａの室内側端部、及び室外側端部のそれぞれには、見付方向に延びる片２１ｂ、２１ｅが設けられている。また、片２１ａの見付け方向内側面には、片２１ｄが立設されている。ここで、片２１ｄは、室内側障子７０の閉鎖の姿勢でその戸先框８０の内側に差し込まれる位置に設けられている。
さらに、片２１ａの見付方向外側面には片２１ｆが立設されている。当該片２１ｆが建物躯体に固定されることにより、縦枠２０が建物に取り付けられる。
【００４１】
縦枠本体２１の材質は特に限定されることはないが、強度及び生産性の観点から金属が好ましく、通常のサッシに用いられるアルミニウムであることが最も好ましい。
また、本実施形態では縦枠本体２１は、一体に形成されているが、これに限定されることはなく、いくつかの金属部材が組み合わされて一体とされていてもよい。また、縦枠本体を室外側部材と室内側部材とに分け、これを断熱性の部材で連結する、いわゆるブリッジ構造としてもよい。これによりさらに断熱性を向上させることができる。
【００４２】
カバー部材２２はカバー部材１８と同様の形状を有している。すなわち、カバー部材２２は、縦枠本体２１の長手方向に沿って配置される長尺の部材である。そして、カバー部材２２は、図２に表わされる断面において、見付方向に延びる片２２ａ、及びその両端のそれぞれから見込み方向に延在する片２２ｂ、２２ｃによりクランク状が形成されている。
【００４３】
カバー部材２２の材質は、熱伝導率の低い材料により形成されていることが好ましい。これにより断熱性を高めることができる。熱伝導率が低いほど断熱性を高めることができるが、熱伝導率が１０Ｗ／ｍ・Ｋ以下であることが好ましい。そのためには具体的には樹脂材料を用いてカバー部材を形成することが好ましい。熱伝導率が低いことに加えて、成型性にも優れるからである。これには例えばＰＶＣを用いることができ、その熱伝導率は０．１７Ｗ／ｍ・Ｋ程度である。
【００４４】
このような縦枠本体２１、カバー部材２２は次のように組み合わせられる。
縦枠本体２１の見込み方向室内側において、片２１ａにカバー部材２２の片２２ｂが重ねられるように配置される。そして固定部材２３により片２２ｂと片２１ａとが固定される。本実施形態では、片２１ｂの先端が片２２ａに係合することによりさらに確実に固定される。
これにより、カバー部材２２は、縦枠本体２１の見付方向内側面のうち見込方向室内側の一部を覆うことができる。
【００４５】
ここでは一つの好ましい実施形態として、上記態様を説明したが、カバー部が形成されるものであればこれに限定されるものではない。例えば、縦枠、及びカバー部を金属、又は樹脂で一体に形成してもよいし、室外側の半分を金属の枠とし、室内側の半分を樹脂で枠とカバー部とを一体に形成し、これらを室内外に並列させて連結してもよい。
【００４６】
図３を参照しつつ、上横枠２５について説明する。上横枠２５は、枠体１０のうち、上側横枠を構成する枠材であり、上横枠本体２６と被覆材２７とを備えている。
上横枠本体２６は、図３に表わされる断面において、見込み方向に延在する片２６ａを有している。片２６ａの見付方向内側面には、片２６ｂ、２６ｃ、２６ｄ、２６ｅが立設されている。片２６ｂは網戸５の上レールとなる片、片２６ｃは外障子４０の上レールとなる片、及び片２６ｄは内障子７０の上レールとなる片である。また、片２６ａの見付方向外側面には、片２６ｆが立設されている。当該片２６ｆを建物躯体に取り付けることにより上横枠２５が建物躯体に固定される。
【００４７】
上横枠本体２６の材質は特に限定されることはないが、強度及び生産性の観点から金属が好ましく、通常のサッシに用いられるアルミニウムであることが最も好ましい。
また、本実施形態では上横枠本体２６は、一体に形成されているが、これに限定されることはなく、いくつかの金属部材が組み合わされて一体とされていてもよい。
【００４８】
被覆材２７は、上横枠本体２６の片２６ｄ、片２６ａ、片２６ｅで囲まれるコ字状の内側に沿って配置される略コ字状の部材である。当該被覆材の材質は、熱伝導率の低い材料により形成されていることが好ましい。これにより断熱性を高めることができる。熱伝導率が低いほど断熱性を高めることができるが、熱伝導率が１０Ｗ／ｍ・Ｋ以下であることがよい。そのためには具体的には樹脂材料を用いて形成することが好ましい。熱伝導率が低いことに加えて、成型性にも優れるからである。これには例えばＰＶＣを用いることができ、その熱伝導率は０．１７Ｗ／ｍ・Ｋ程度である。
【００４９】
下横枠３０は、枠体１０の下側横枠を構成する枠材である。下横枠３０は、下横枠本体３１、被覆材３２、及び排水弁３３を備えている。
下横枠本体３１は、図３に表わされる断面において、矩形中空に形成された中空部３１ａが設けられ、該矩形部３１ａの見込み方向室内側からは、室内側に延びる片３１ｂが配置されている。
矩形部３１ａ、及び片３１ｂの見付方向内側面には、片３１ｃ、３１ｄ、３１ｅ、３１ｆが立設されている。片３１ｃは網戸５の下レールとなる片であり、該網戸５の戸車が載置される。片３１ｄは外障子４０の下レールとなる片、及び片３１ｅは内障子７０の上レールとなる片であり、それぞれの障子の戸車が載置される。また、中空部３１ａの見付方向外側面には、片３１ｇが立設されている。当該片３１ｇを建物躯体に取り付けることにより下横枠３１が建物躯体に固定される。
【００５０】
下横枠本体３１の材質は特に限定されることはないが、強度及び生産性の観点から金属が好ましく、通常のサッシに用いられるアルミニウムであることが最も好ましい。
また、本実施形態では下横枠本体３１は、一体に形成されているが、これに限定されることはなく、いくつかの金属部材が組み合わされて一体とされていてもよい。
【００５１】
被覆材３２は、下横枠本体３１の片３１ｂ、片３１ｆの内側に沿って配置される部材である。当該被覆材３２の材質は、熱伝導率の低い材料により形成されていることが好ましい。これにより断熱性を高めることができる。熱伝導率が低いほど断熱性を高めることができるが、熱伝導率が１０Ｗ／ｍ・Ｋ以下であることがよい。そのためには具体的には樹脂材料を用いて形成することが好ましい。熱伝導率が低いことに加えて、成型性にも優れるからである。これには例えばＰＶＣを用いることができ、その熱伝導率は０．１７Ｗ／ｍ・Ｋ程度である。
【００５２】
排水弁３３は、中空部３１ａを形成する片のうち、室外側に面する片に設けられた排水口に具備される。このとき、中空部３１ａを形成する片のうち見付方向内側を形成する片の所定の位置には不図示の貫通孔が設けられている。これにより、片３１ｃと片３１ｄとの間、又は片３１ｄと片３１ｅとの間に侵入した水を中空部３１ａ内に導入して、排水弁３３から排出することが可能となる。
【００５３】
外障子４０は、図１〜図３からわかるように、戸先框５０、外召し合わせ框５１、横框５２、５３、複層ガラスパネル４１、及びグレージングチャンネル６０を備えている。
戸先框５０は戸先側に配置される縦框材である。図５には、図２のうち障子４０の戸先部分に注目した図を示した。ここで図５（ａ）は組み合わせた図、図５（ｂ）は分解して示した図である。
【００５４】
戸先框５０は、図２、図５に表わされる断面において、見込み方向に延在する見込み片としての片５０ａを有している。そして該片５０ａの見込み方向両端部のそれぞれには見付方向に延在する室外側片としての片５０ｂ、及び室内側片である片５０ｃが設けられている。片５０ｂ、５０ｃの見付方向両端部では、該片５０ｂ、５０ｃで挟まれる部分が開口部を形成している。ここで、片５０ｂの見付方向外側端部には片５０ｃ側にシール部材５０ｄが配置され、縦枠１５の片１６ｄに接触して水密気密がとれるように構成されている（図４（ａ）参照）。
【００５５】
外召し合わせ框５１は、外召し合わせ部に用いられる縦框材である。外召し合わせ框５１は、図２に表わされる断面において、矩形中空状である中空部５１ａを有している。該中空部５１ａの見付方向内側面のうち、その見込み方向両端部のそれぞれからは見付方向内側に片５１ｂ、５１ｃが延在する。
また、中空部５１ａの室内側からは、内召し合わせ框８１に係合する係合片５１ｈも設けられている。
【００５６】
横框５２は上横框に相当する框材である。横框５２は、図３に表わされる断面において、見込み方向に延在する片５２ａを有している。さらに該片５２ａの見込み方向両端部のそれぞれには見付方向に延在する片５２ｂ、５２ｃが設けられている。片５２ｂ、５２ｃの見付方向両端部では、該片５２ｂ、５２ｃで挟まれる部分が開口部を形成している。ここで、片５２ｂの見付方向外側端部には片５２ｃに向けてシール部材が配置され、上横枠２５の片２６ｃに接触して水密気密がとれるように構成されている。
【００５７】
横框５３は下横框に相当する框材である。横框５３は、図３に表わされる断面において、見込み方向に延在する片５３ａを有している。さらに該片５３ａの見込み方向両端部のそれぞれには見付方向に延在する片５３ｂ、５３ｃが設けられている。片５３ｂ、５３ｃの見付方向両端部では、該片５３ｂ、５３ｃで挟まれる部分が開口部を形成している。ここで、片５３ｂの見付方向外側端部には片５３ｃに向けてシール部材が配置され、下横枠３０の片３１ｄに接触して水密気密がとれるように構成されている。
【００５８】
ここで、片５３ｂ、５３ｃの間のうち、片５３ａより障子見付方向外側には、戸車５４が配置され、上記した片３１ｄに載置される。
【００５９】
複層ガラスパネル４１は、いわゆる複層ガラスパネルであり、矩形板状である２枚の板ガラス４２、４３が室内外方向に所定の間隔を有して並列されている。当該板ガラス４２、４３の間隙により形成される空間のうち、その外周端部のやや内側には、板ガラス４２、４３の辺の方向に沿ってスペーサ４４、４４、…が配置されている。そしてスペーサ４４、４４、…の外側で外周端部にはシール材４５、４５、…が充填されている。
【００６０】
ここで、スペーサ４４、４４、…は板ガラス４２と板ガラス４３との間隙を所定の大きさとすることを主要な機能とするが、ここに乾燥剤を含ませることもできる。これによればこの空間内側を適切な湿度に保つことが可能となる。
【００６１】
一方、シール材４５、４５、…は、板ガラス４２と板ガラス４３との接着しつつ、水密性（密封性）を保持することを主要な機能とする。また、後述するようにシール材４５、４５、…内にグレージングチャンネル６０の突出部６４が挿入されるので、シール材４５、４５、…は少なくとも充填時には流動性を有する材料であることを要する。かかる観点から、シリコン系、ポリサルフィド系の接着材であることが好ましい。
【００６２】
本実施形態では、複層ガラスパネルとして２枚のガラス板を有する例を示したが、これに限定されることはなく、２枚以上のガラス板を備えるものであってもよい。
【００６３】
グレージングチャンネル６０は、複層ガラスパネル４１の端部を覆うように形成される長尺の部材で、長手方向に直交する断面は例えば図５（ｂ）によく表れている。これからわかるように、グレージングチャンネル６０は断面略コ字状であり、片６１とこの片６１の両端から対向するように立設される２つの片６２、６３とを備えている。従って、片６２と片６３との一端側の間隔には開口部が形成される。ここで、「ガラスパネルの端部」とは、端面を含み、さらにガラスパネルの室内側面、及び室内側面の外周端部を含む概念である。
【００６４】
また、片６２、片６３の当該一端側には、開口部を狭めるように対向して設けられるシール片６２ａ、６３ａが配置されている。また、片６２、片６３の面のうち互いに対向する面には、ひれ状部６２ｂ、６３ｂが形成されている。
【００６５】
さらに、グレージングチャンネル６１の底部を形成する片６１の面のうち、その幅方向（図５の紙面上下方向）略中央には、片６２、６３が立設する側と同じ側に立設する突出部６４が配置されている。突出部６４にはその先端には膨らむように抜け止め部６４ａが設けられている。
【００６６】
このような突出部６４はグレージングチャンネル６０の長手方向全長に亘って形成されていてもよいが、必ずしもこれに限定される必要はなく、一部でもよいし、断続的に形成されていてもよい。
【００６７】
グレージングチャンネル６０の材質は、例えば塩化ビニル系、シリコン系の材料を挙げることができる。また、これらについて硬質と軟質の材料を組み合わせたり、又は軟質のみにより構成することも可能である。
【００６８】
また、グレージングチャンネル６０には排水用の孔が設けられてもよい。これによりグレージングチャンネル６０内に侵入した水を排出することができる。孔を設ける部位は特に限定されることはなく、片６１、片６２、６３のいずれか又はいずれにも設けられてもよい。
【００６９】
上記戸先框５０、外召し合わせ框５１、横框５２、５３、複層ガラスパネル４１、及びグレージングチャンネル６０、６０、…は、次のような取り付け構造を有する。図５を参照しつつ説明する。ここでは戸先框５０を例に説明する。他の框（５１、５２、５３）との取り付け構造は、戸先框５０の場合と概ね同じなので、説明を省略する。
【００７０】
複層ガラスパネル４１の端部は、図５からわかるようにグレージングチャンネル６０のコ字状の内側に挿入され、囲まれるように配置される。このとき、グレージングチャンネル６０の突出部６４がシール材４５の内側に包含されるように具備される。これにより複層ガラスパネル４１とグレージングチャンネル６０とが固定される。また、突出部６４の先端に具備された抜け止め部６４ａによりその固定がより確実で強固なものとなる。
【００７１】
一方、片６２、６３に備えられたシール部６２ａ、６３ａ、及びひれ状部６２ｂ、６３ｂは板ガラス４２、４３の面に接触して水密気密を確保する。
【００７２】
戸先框５０の片５０ｂと片５０ｃとの間隙にグレージングチャンネル６０及び複層ガラスパネル４１の端部が含まれるように配置される。
【００７３】
このように、複層ガラスパネル４１とグレージングチャンネル６０とが固定された状態でこれを框（５０、５１、５２、５３）に嵌合する構造により、従来のよりも框を細く形成することが可能となる。グレージングチャンネルと複層ガラスパネルとが固定されていない状態で框を細くすると、框の強度が低いため開閉時や内外の圧力差により障子に力がかかったときに框が変形し、グレージングチャンネルと複層ガラスパネルとの水密気密に問題が生じることがあった。本実施形態の開口部装置ではこのような問題を解決することができるので、框をこれまでに比べて細く形成することができ、複層ガラスパネル部を大きくすることが可能となる。すなわち、採光性向上、及び外観に優れた開口部装置を提供することができる。また、複層ガラスパネル部は框に比べ断熱性に優れので、框が細くなること、及び複層ガラスパネル部が大きくなることによる断熱性向上も図ることが可能となる。具体的には、框の見付方向の大きさが３６ｍｍ以下であることが好ましい。これにより外観の観点から印象を強く与えることができるとともに、断熱性の向上に効果が顕著である。
【００７４】
引き続き開口部装置１０について説明を続ける。内障子７０は、図１〜図３からわかるように、戸先框８０、内召し合わせ框８１、横框８２、８３、複層ガラスパネル７１、グレージングチャンネル９０を備えている。内障子７０については、上記外障子４０に対して、外障子と内障子とに起因する形状の相違はあるものの他の部位については上記した内障子４０と共通するのでここでは説明を省略する。
【００７５】
以上説明した開口部装置１は、さらに次のような特徴を備えている。図２、図４を参照しつつ説明する。
開口部装置１の閉鎖の姿勢で図２、図４にＢで示した位置と、Ａで示した位置とを対比する。Ｂで示した位置は、障子４０、７０が閉鎖した姿勢において、戸先框５０、８０の見付方向内側端部が配置される位置である。一方、Ａで示した位置は、縦枠１５、２０において、カバー部材１８、２２の見付方向内側端部が配置される位置である。
【００７６】
開口部装置１では、Ｂで示した位置が、Ａで示した位置よりも見付方向外側に配置される。これにより、開口部装置１の閉鎖の姿勢で戸先框５０、８０が室内側正面視から隠蔽される。ここでは、Ｂの位置がＡの位置よりも見付方向外側となるようにしたが、これが面一（同じ位置）、または、Ｂの位置は、若干であればＡの位置よりも見付方向内側に配置されていてもよい。具体的には戸先框の見付方向大きさのうち、９０％以上が隠蔽されていることが好ましい。
【００７７】
開口部装置１では、上記したように、框が細く形成されている。従って、框を通じての熱移動を抑制することができる。これに加えて、このように熱移動が抑制された框５０、８０がカバー部材により室内視から隠蔽されている。これにより框と室内との熱伝達を抑制することができ、断熱性能をさらに向上させることが可能となる。
【００７８】
このような構成とすることにより、枠、及び框ともに、従来における断熱サッシのようなブリッジ材方式（枠や框を室内側部材と室外側部材とに分け、これを樹脂等により連結する方式）を用いなくても、断熱性能を向上させることが可能となる。すなわち、簡易な構成により断熱性能を向上させることができる。ただし、ブリッジ方式を適用することを妨げるものではなく、ブリッジ構造を用いてもよい。さらなる断熱性向上を期待できるからである。
このような構成により、ある大きさの開口部に従来の開口部装置を設置したときに、Ｈ−３等級（ＪＩＳ  Ａ  ４７０６、ＪＩＳ  Ａ  ４７０２、熱貫流抵抗０．２８７ｍ２・Ｋ／Ｗ以上）の断熱性能を得ることができなかった場合であっても、開口部装置１によれば、Ｈ−３等級の断熱性能を得ることが可能となる。
【００７９】
また、上記のように框が細く形成され、該框が室内視で隠蔽されるので、外観にも優れたものとなる。ここで、カバー材１８、２２も、細い框を隠蔽する程度に形成されれば良いので、図４（ｂ）にＥで示したカバー材１７、１８の寸法も小さく抑えることができる。
【００８０】
開口部装置１の障子４０は例えば次のように製造することができる。すなわち、２枚の板ガラス４２、４３間にスペーサ４４を挟持するように配置し、板ガラス４２、４３間の端部及びスペーサ４４で囲まれた空間にシール材４５となる材料を充填する。次に、充填したシール材が流動性を有しているうちにグレージングチャンネル６０を複層ガラスパネル４１の端部を覆うように配置する。このとき、グレージングチャンネル６０の突出部６４をシール材４５内に挿入する。
【００８１】
グレージングチャンネル６０が取り付けられた複層ガラスパネル４１の端部を縦横の框（５０、５１、５２、５３）に差し込むように組み立てる。
【００８２】
次に、グレージングチャンネルの形態に関する変形例を説明する。他の部位については上記した開口部装置１と共通するので、説明を省略する。
図６（ａ）は、１つの変形例の開口部装置に用いられるグレージングチャンネル１６０の断面図を示す図である。グレージングチャンネル１６０では、突出部１６４が第一突出部１６４ａ、第二突出部１６４ｂの２本を有している点がグレージングチャンネル６０と異なる。これによりさらにシール材とグレージングチェンネルとの固定が強固なものとなる。
【００８３】
図６（ｂ）は、他の変形例の開口部装置に用いられるグレージングチャンネル２６０の断面図を示す図である。グレージングチャンネル２６０では、突出部２６４が別体に設けられていることが特徴である。グレージングチャンネル２６０のコ字状である底辺を形成する片１６１には、スリット１６１ａが設けられここを貫通するように、突出部２６４をコ字状の内側に突出させることができる。これによれば、強度が必要な部分に、必要な分を過不足なく取り付けることができる。
【００８４】
以上で説明した実施形態では、シール材の内部に突出部を挿入することによりグレージングチャンネルとガラスパネルとを一体とした。しかしながら、ガラスパネルとグレージングチャンネルとを一体にするには上記のような態様に限定されるものではない。
例えば、突出部によらずグレージングチャンネルのうちガラスパネルの底面を覆う面がシール材に接着して一体化してもよい。
さらには、グレージングチャンネルと板ガラスとが接着、又は機械的結合により一体となることによりガラスパネルとグレージングチャンネルとが一体となってもよい。接着の場合には、グレージングチャンネルと板ガラスとの間に接着剤や粘着テープが具備される。機械的結合の場合は、例えば板ガラスに溝を形成し、グレージングチャンネルにはこれに係合する凸部を設けることを挙げることができる。
【００８５】
図７は参考の形態にかかる開口部装置２０１を説明するための図で、図２に相当する図である。開口部装置２０１では、外障子２４０、及び内障子２７０の戸先框２５０、２８０の態様が開口部装置１と異なる。他の構成については開口部装置１の説明と同じなので、符号も共通として説明は省略する。
【００８６】
開口部装置２０１の戸先框２５０、２８０は、障子２４０、２７０の閉鎖の姿勢でも当該戸先框２５０、２８０が室内視で隠蔽されない。具体的には、図７にＹで示した大きさだけ、戸先框２５０、２８０がカバー部材１８、２２により隠蔽されていない。
【００８７】
これは、例えば大型の開口部装置において框が長尺になるため、その強度（面外強度）確保の観点から框の太さを大きくせざるを得ない場合、また、操作性の観点から戸先框に引手（把手）を設ける必要がある場合等を挙げることができる。
このような場合であっても、複層ガラスパネルとグレージングチャンネルとは上記説明したと同様に固定されているので、従来に比べ、框を薄く形成することができる。これにより図７にＹで示した部分がカバー材１８、２２により隠蔽されなくても従来に比べて断熱性を向上させることが可能である。
ただし、Ｙの大きさが大きすぎれば断熱性能を向上の程度が低下してしまうので、図７にＸで示した框の厚さに対して、（Ｘ−Ｙ）／Ｘ×１００％が、６０％以上であることが好ましい。
例えば、ある大きさの開口部に従来の開口部装置を設置したときに、Ｈ−３等級（ＪＩＳ  Ａ  ４７０６、ＪＩＳ  Ａ  ４７０２、熱貫流抵抗０．２８７ｍ２・Ｋ／Ｗ以上）の断熱性能を得ることができなかった場合であっても、開口部装置２０１によれば、Ｈ−３等級の断熱性能を得ることが可能となる場合もある。
【００８８】
以上、現時点において実践的であり、かつ好ましいと思われる実施形態に関連して本発明を説明したが、本発明は本願明細書中に開示された実施形態に限定されるものではなく、請求の範囲及び明細書全体から読み取れる発明の要旨或いは思想に反しない範囲で適宜変更可能であり、そのような変更を伴う開口部装置もまた本発明の技術的範囲に包含されるものとして理解されなければならない。
【符号の説明】
【００８９】
１  開口部装置
１０  枠体
１５、２０  縦横枠
１７  カバー部材
１８、２２  カバー部材
２５  上横枠
３０  下横枠
４０  外障子
４１  複層ガラスパネル
４５  シール材
５０  戸先框
５１  外召し合せ框
５２  横框
５３  横框
６０  グレージングチャンネル
７０  外障子
７１  複層ガラスパネル
８０  戸先框
８１  内外召し合せ框
８２  上横框
８３  下横框
９０  グレージングチャンネル
【図１】
0005394295.tif 000002
【図２】
0005394295.tif 000003
【図３】
0005394295.tif 000004
【図４】
0005394295.tif 000005
【図５】
0005394295.tif 000006
【図６】
0005394295.tif 000007
【図７】
0005394295.tif 000008